(57)【要約】【課題】顔領域を抽出してプリント枚数の設定を行うに際して、設定を正確に行えるプリント作成装置を提供する。【解決手段】写真プリント作成の対象となる画像データを入力する画像入力手段１と、画像データの中に含まれる顔領域を抽出するための抽出条件を設定する抽出条件設定手段５ａと、設定された抽出条件に基づき顔領域を抽出する顔領域抽出手段５ｂと、抽出された顔領域の数に基づいてプリント枚数を設定するプリント枚数設定手段とを備えたプリント作成装置であって、モニター画面に画像データに係る画像を表示するに際して、抽出された顔領域を抽出されなかった顔領域と識別可能に表示する抽出表示手段５ｃと、モニター画面において、抽出手段を再設定するための抽出条件再設定手段５ｄとを備え、この再設定された抽出条件で、顔領域抽出手段５ｂにより再度顔領域の抽出を行う。【選択図】図１
2007036603.tif 000002
【特許請求の範囲】
【請求項１】
写真プリント作成の対象となる画像データを入力する画像入力手段と、
画像データの中に含まれる顔領域を抽出するための抽出条件を設定する抽出条件設定手段と、
設定された抽出条件に基づき顔領域を抽出する顔領域抽出手段と、
抽出された顔領域の数に基づいてプリント枚数を設定するプリント枚数設定手段とを備えたプリント作成装置であって、
モニター画面に画像データに係る画像を表示するに際して、抽出された顔領域を抽出されなかった顔領域と識別可能に表示する抽出表示手段と、
前記モニター画面において、抽出手段を再設定するための抽出条件再設定手段とを備え、この再設定された抽出条件で、前記顔領域抽出手段により再度顔領域の抽出を行うことを可能にしたことを特徴とするプリント作成装置。
【請求項２】
前記モニター画面において、抽出された顔領域の抽出状態を解除する抽出解除手段を備え、
前記プリント枚数設定手段は、抽出解除された顔領域の数に基づいて、プリント枚数の再設定を行うことを特徴とする請求項１に記載のプリント作成装置。
【請求項３】
抽出条件設定手段は、抽出条件として顔領域のサイズを設定可能であることを特徴とする請求項１又は２に記載のプリント作成装置。
【請求項４】
前記顔領域抽出手段は、顔領域に含まれる特徴データに基づいて特定人物を抽出する機能を備え、画像データ群の中から前記特定人物が含まれる画像データのみを抽出可能であることを特徴とする請求項１〜３のいずれか１項に記載のプリント作成装置。
【発明の詳細な説明】
【技術分野】
【０００１】
本発明は、写真プリント作成の対象となる画像データを入力する画像入力手段と、画像データの中に含まれる顔領域を抽出するための抽出条件を設定する抽出条件設定手段と、設定された抽出条件に基づき顔領域を抽出する顔領域抽出手段と、抽出された顔領域の数に基づいてプリント枚数を設定するプリント枚数設定手段とを備えたプリント作成装置に関するものである。
【背景技術】
【０００２】
写真プリントの作成依頼を写真店に行う場合、プリント枚数を個々のコマ画像に対して設定する必要がある。友人同士の旅行写真や集合写真などの画像が含まれている場合、写真に撮影されている人物の数に対応したプリント枚数の依頼を写真店に対して行う顧客も多い。写真プリントの対象となるコマ画像は、モニター画面にサムネイル画像により表示させ、色・濃度などの補正値の入力やプリント枚数の設定などを行うが、モニター画面においてコマ画像に含まれている人物の数をカウントすることは作業が煩雑であり、特に集合写真のように大勢の人物が撮影されているようなケースでは、集合写真の数が増えれば増えるほど煩雑であるだけでなく、数え間違いのミスが発生しやすくなる。数え間違いをしてしまうと、再度焼き増し処理を行わなければならないなどの無駄な作業が生じてしまい好ましくない。
【０００３】
そこで、下記特許文献１に開示される画像記録装置が知られており、画像データに含まれる顔領域の数を検知し、この人数をプリント枚数として設定し、撮影人数分の写真プリントを作成するようにしている。
【０００４】
【特許文献１】特開平９−２８１６０５号公報
【発明の開示】
【発明が解決しようとする課題】
【０００５】
しかしながら、撮影画像の中には関係のない人物が撮影されているようなケースもあり、かかる人物まで顔領域として抽出されると、必要数以上の写真プリントを作成してしまうことになる。例えば、集合写真の背景に関係のない人物が偶然撮影されていたようなケースである。また、画像に撮影されてはいるが、顔領域として抽出されなかったというケースも考えられる。かかる場合には、必要数の写真プリントが作成されないため、再度焼き増しを行わなければならなくなる。
【０００６】
本発明は上記実情に鑑みてなされたものであり、その課題は、顔領域を抽出してプリント枚数の設定を行うに際して、設定を正確に行えるプリント作成装置を提供することである。
【課題を解決するための手段】
【０００７】
上記課題を解決するため本発明に係るプリント作成装置は、
写真プリント作成の対象となる画像データを入力する画像入力手段と、
画像データの中に含まれる顔領域を抽出するための抽出条件を設定する抽出条件設定手段と、
設定された抽出条件に基づき顔領域を抽出する顔領域抽出手段と、
抽出された顔領域の数に基づいてプリント枚数を設定するプリント枚数設定手段とを備えたプリント作成装置であって、
モニター画面に画像データに係る画像を表示するに際して、抽出された顔領域を抽出されなかった顔領域と識別可能に表示する抽出表示手段と、
前記モニター画面において、抽出手段を再設定するための抽出条件再設定手段とを備え、この再設定された抽出条件で、前記顔領域抽出手段により再度顔領域の抽出を行うことを可能にしたことを特徴とするものである。
【０００８】
この構成によるプリント作成装置の作用・効果を説明する。画像入力手段により写真プリント作成の対象となる画像データを入力する。顔領域の数に応じたプリント枚数の設定を行う場合、抽出条件設定手段の機能を利用して顔領域を抽出するための抽出条件を設定する。例えば、顔領域のサイズを抽出条件として設定し、小さな顔を抽出対象から除外できる。抽出条件を設定することで、これに従い顔領域を抽出することができ、抽出された顔領域の数に基づいてプリント枚数を設定することができる。モニター画面には、画像データに係る画像が表示され、抽出された顔領域と抽出されなかった顔領域とが識別できる形で表示される。例えば、抽出された顔領域を枠で囲む形で表示させる。これにより、モニター画面上で抽出された顔領域を確認することができる。このモニター画面を見ながら、必要な顔領域が抽出されているか否かを判断し、抽出条件の再設定が必要な場合は、抽出条件再設定手段により再設定を行い、再度抽出処理を行うことができる。これにより、必要な顔領域が抽出されるようにし、プリント枚数の設定も正確に行うことができる。その結果、顔領域を抽出してプリント枚数の設定を行うに際して、設定を正確に行えるプリント作成装置を提供することができる。
【０００９】
なお、本明細書において画像データと表現する場合は、電子化された状態のデータのことを指し、モニター画面や写真プリントで視認できる形のものは「画像」と表現することがある。
【００１０】
本発明に係る前記モニター画面において、抽出された顔領域の抽出状態を解除する抽出解除手段を備え、
前記プリント枚数設定手段は、抽出解除された顔領域の数に基づいて、プリント枚数の再設定を行うことが好ましい。
【００１１】
顔領域の抽出を行った場合、関係のない人物が抽出されていることがある。かかる場合、必要以上の写真プリントを作成してしまうことになるので、抽出状態を解除する機能を備えていることが好ましい。これにより、必要最大数のプリント枚数を設定することができる。
【００１２】
本発明に係る抽出条件設定手段は、抽出条件として顔領域のサイズを設定可能であることが好ましい。
【００１３】
顔領域のサイズを設定することで、小さすぎる顔領域を抽出対象から除外することができ、不要な写真プリントを作成しないようにすることができる。
【００１４】
本発明に係る前記顔領域抽出手段は、顔領域に含まれる特徴データに基づいて特定人物を抽出する機能を備え、画像データ群の中から前記特定人物が含まれる画像データのみを抽出可能であることが好ましい。
【００１５】
例えば、特定の人物に対してのみ写真プリントを焼き増ししたいような場合は、顔領域に含まれる特徴データに基づいて特定人物を抽出することができる。これにより、特定人物についてのみ焼き増しを要望する顧客のニーズに応えることができる。なお、特定人物は1人ではなく、２人以上であってもよい。
【発明を実施するための最良の形態】
【００１６】
本発明に係るプリント作成装置の好適な実施形態を図面を用いて説明する。図１は、プリント作成装置の内部構成を示す模式図である。このプリント作成装置は、入力された画像データに基づいて写真プリントを作成する機能を有する。
【００１７】
図１において、画像入力手段１としてフィルムスキャナー１ａとメディア装着部１ｂが設けられている。フィルムスキャナー１ａは、現像済み写真フィルムに形成されているコマ画像をスキャニングして、デジタルの画像データを取得することができる。メディア装着部１ｂは、画像データが格納されている記録メディアを装着して読み取ることができる。記録メディアとしては、例えば、デジタルカメラ用に用いられるコンパクトフラッシュ（登録商標）、スマートメディア（登録商標）や、ＣＤ−Ｒなどがあげられる。画像保存部２は、画像入力手段１を介して取得した画像データを一時的に保存するものであり、ハードディスクやメモリにより構成される。
【００１８】
画像処理部３は、入力された画像データに対して画像処理を行い、写真プリントを作成するためのプリント画像データを生成するために必要とされるデータの取得や、プリント画像データを生成する機能を備えている。補正値設定手段３ａは、入力された画像データに対する色・濃度の補正値を設定する機能を提供する。この補正値の入力作業は、後述するプレジャッジ画面において行われる。かかる補正値は、適切な色・濃度の写真プリントが作成するために入力されるものであり、必要に応じてオペレータにより入力される。
【００１９】
プリント条件設定手段３ｂ（プリント枚数設定手段として機能）は、写真プリントを作成するために必要な条件を設定するものであり、プリントサイズ、プリント枚数などを設定する機能を提供する。プリントサイズやプリント枚数は、各コマ画像ごとに設定することができる。プリント枚数については、デフォルトとして１枚が設定されるが、画面上で訂正できると共に、後述する顔抽出モードによるプリント枚数の自動設定を行うこともできる。
【００２０】
プリント用画像データ生成手段３ｃは、入力された画像データと、補正値設定手段３ａにより設定された補正値、プリントサイズ等に基づいて、写真プリントを作成するためのプリント画像データを生成する。表示処理手段３ｄは、入力された画像データをモニター４に表示させるための処理を行う。モニター画面に表示させる画像はサムネイル画像であり、入力された画像データに基づいてサムネイル画像データを作成する。また、後述するプレジャッジ作業を行うための種々の表示画面を提供する。
【００２１】
顔モード設定手段３ｅは、顔モードに基づくプリント枚数の設定を行うか否かを選択させる機能を有する。この顔モードについて説明する。写真店において写真プリント作成の依頼を受ける場合、写真に撮影されている人物の数に対応したプリント枚数の依頼を受けることがある。例えば、集合写真や複数人数による旅行写真に係る画像が撮影されている場合である。特に集合写真の場合は、多くの人物が撮影されているケースが多く、モニター画面上で人物の数を数えるのは作業が煩雑である。そこで、画像データに含まれる顔領域を抽出して、コマ画像の中に含まれる顔領域の数をカウントし、これをプリント枚数として自動設定可能な機能を備えている。この機能を説明の便宜上、顔モードと称することにする。
【００２２】
顔モード処理部５は、顔モードによるプリント枚数の設定を行うための機能を提供するものであり、主としてソフトウェアにより実現される。抽出条件設定手段５ａは、画像データに含まれている顔領域を抽出するための条件を設定するものである。抽出条件として、例えば、顔領域のサイズを設定することができる。具体的には、図２（ａ）に示すように顔の横幅ａと長さｂを設定できる。サイズはｍｍの単位で設定できるようにしてもよいし、ピクセル数で設定できるようにしてもよい。図２（ｂ）は、サイズを設定する場合の別実施形態を示すものであり、モニター画面に種々の大きさの顔を表示させ、これらのうちの１つを選択するようにする。（ａ）（ｂ）のいずれの場合も、設定されたサイズ以上のサイズの顔領域が抽出され、設定サイズよりも小さなサイズの顔領域は抽出されない。例えば、複数の人物が撮影されている写真の場合、撮影されている顔サイズが小さすぎる人物に関しては、写真プリントを提供する必要はないと考えられるからである。その他の抽出条件としては、日本人か否か（顔の色データにより抽出可能）などがある。
【００２３】
また、抽出条件設定手段５ａは、特定人物についてのみ抽出を行う機能も有している。特定人物についての特徴量を求め、その特定人物が撮影されているコマ画像を選択的に抽出することができる。特定人物は１人であっても良いし、複数であってもよい。特定人物の特徴量は、目、鼻、口、眉毛の位置、顔の輪郭データなどに基づいて定義することができる。
【００２４】
顔領域抽出手段５ｂは、設定された抽出条件に基づいて画像データに含まれる顔領域を抽出する。顔領域を抽出するためのアルゴリズムは、公知の手法を用いることができる。例えば、カラー画像データでは、色空間における肌色領域を限定することで、色に対するしきい処理で顔領域を抽出することができる。
【００２５】
抽出表示手段５ｃは、抽出条件設定手段５ａにより抽出された顔領域をモニター画面で表示するため、顔領域を四角の枠で囲むなどの表示処理を行う。画像中に多数の顔領域が含まれる場合、抽出条件に合致した顔領域のみが枠で囲まれるため、必要な人数分の顔領域が抽出されたか否かを容易に確認可能である。
【００２６】
抽出条件再設定手段５ｄは、モニター４に画像入力手段１により入力された画像が表示されている状態で、抽出条件の再設定を行う機能を提供する。最初に設定した抽出条件では、必要な人物の顔領域が抽出されていない場合、抽出条件を変更して再度顔領域の抽出を行うことができる。抽出解除手段５ｅは、不用な人物の顔領域が抽出されている場合、この抽出状態を解除する機能を提供する。この解除作業もモニター画面上で行うことができる。
【００２７】
顔領域カウント手段ｆは、各コマ画像に含まれる顔領域の数をカウントする。このカウントされた数値に基づいて、プリント枚数が設定される。通常は、顔領域の数がそのままプリント枚数となる。顔モード処理部５の機能は、ソフトウェア、及び、ハードウェア、あるいはこれらの組み合わせにより実現することができる。
【００２８】
入力操作部６は、キーボードやマウス等により構成されるものであり、写真プリントを作成するための種々の操作指令の入力やデータの入力などを行うことができる。
【００２９】
画像転送部７は、画像処理部３のプリント用画像データ生成手段３ｃにおいて作成されたプリント画像データをプリントエンジン１０へ転送する。プリントエンジン１０は、例えばレーザーエンジンを用いることができ、写真感光材料であるペーパーの乳剤面にレーザー光を照射することで画像を露光形成する。すなわち、プリント画像データに基づいてレーザー光を光変調し、副走査方向に沿って搬送されるペーパー乳剤面に対して、主走査方向にレーザー光を繰り返し走査することで潜像が形成される。
【００３０】
ペーパーマガジン１１には、ペーパーがロールの形で収容されており、アドバンスローラ１２により搬送経路に沿って繰り出されていく。ペーパーカッター１３は、ペーパーを所定のプリントサイズにカットする。カットされたペーパーは、プリントエンジン１０へと送り込まれ、露光搬送ローラ１４により一定速度で搬送されながら、画像が露光形成される。
【００３１】
画像が露光形成されたペーパーは、現像処理部１５、乾燥処理部１６に送り込まれて、現像処理及び乾燥処理が施された後、ペーパー排出部１７から仕上がりの写真プリントとして装置外部に排出される。
【００３２】
＜プレジャッジ画面＞
次に、図３によりプレジャッジ作業に関して説明する。プレジャッジとは、写真プリントを作成する前に、適切な写真プリントが作成できるように補正値の設定やプリント条件の設定を行う作業である。図３は、画像入力手段１により取得した画像データに係る画像が６枚分表示されている。画像入力手段１から入力される画像データ群は、オーダー単位で管理保存されるが、１オーダー分の画像データのうち、６枚分が表示されている。画面ページを切り替えることで、他の画像データについても表示させることができる。なお、通常、１オーダーとは、写真フィルム１本あるいは記録メディア１個に含まれる画像データ群のことを指しているが、これに限定されるものではない。モニター画面に表示させるコマ画像の数は６でなくてもよく、４，８，１２・・・・など適宜設定することができる。モニター画面には、入力したオリジナルの画像データをサムネイル処理して得られるサムネイル画像である。
【００３３】
図３に示すように、各コマ画像はプリント枠４０が表示されており、これが写真プリントとしてプリントされる範囲を示している。プリントサイズ表示欄４１には、作成される写真プリントのサイズ（図例ではＬ判）が表示される。補正値入力欄４２は、色・濃度の補正値を入力するための入力欄である。具体的には、Ｙ（イエロー）Ｍ（マゼンタ）Ｃ（シアン）３色の補正値と、濃度の補正値を入力できる。オペレータは、モニター画面に表示されるコマ画像を見て、色・濃度が適切でないと判断すれば、適宜補正値を入力する。補正値を入力すると、入力された値に応じて画像処理が行われ、サムネイル画像に反映され確認することができる。なお、色・濃度の補正値のデフォルト値は０（補正なし）となっている。プリント枚数入力欄４３は、プリント枚数を入力するための欄である。デフォルト値は１枚が設定されている。
【００３４】
特殊補正設定ボタン４４は、赤目補正や逆光補正などの特殊な補正を行うためのボタンであり、これをクリックすると別ウィンドウが立ち上がり、種々の補正を行うことができる。また、プリント枠４０を変更してトリミングを行うこともできる。
【００３５】
顔モードボタン４５をクリックすると、画像に含まれる顔領域を抽出するための抽出条件を設定することができる。顔モードを利用したプリント枚数の設定を行っていない場合、このボタン４５をクリックすることで、抽出条件の設定を行うことができる。また、顔モードを利用している場合でも、抽出条件を変更したい場合は、このボタン４５をクリックすることで、抽出条件の再設定を行うことができる。従って、この顔モードボタン４５は、抽出条件再設定手段５ｄとして機能することができる。なお、特殊補正設定ボタン４４をクリックしたときに顔モードの設定及び再設定を行えるように構成してもよい。
【００３６】
＜顔モードによるプリント枚数の設定＞
次に、顔モードによるプリント枚数を設定するまでの手順を図４のフローチャートにより説明する。顔モードを利用する場合には、プレジャッジ作業を行う前に利用するか否かの設定を行っておく。顔モードを利用しない場合には、プリント枚数の設定は自動的に１枚が設定される。
【００３７】
まず、最大プリント枚数Ｎｍを設定する（＃１）。これは、オペレータにより手動入力される。１枚の画像に撮影されている人物数の最大値と考えられる値を入力する。これを設定することで、１枚の画像中にＮｍを超える顔領域が存在していたとしても、プリント枚数の最大値としてＮｍが設定されることになる。次に、抽出すべき顔サイズの指定を行う（＃２）。顔サイズの指定（顔サイズは抽出条件に相当する）については、図２で説明したような方法で行われる。画像に撮影されている顔サイズが小さすぎる人物に関しては、写真プリントを提供する必要もないと考えられるからである。顔サイズを指定することで、指定された顔サイズよりも大きな顔領域が抽出される。
【００３８】
次に、抽出された顔領域の表示をするか否かの指定を行う（＃３）。これは、モニター画面に表示される画像中に顔領域を示す枠を表示させるか否かを指定するものであり、指定を行う方が、顔領域が抽出されたか否かを直ちに判別できるので好ましい。次に、被写体数Ｎｉの初期設定（Ｎｉ＝０）を行う。被写体数は、抽出された顔領域の数に相当するものであり、顔領域の抽出処理を開始する前であるから、当然Ｎｉ＝０に自動的に設定されている。次に、初期プリント枚数Ｐｉを設定する。これはオペレータにより設定されるものであるが、通常はＰｉ＝１を設定することになる。
【００３９】
次に画像データに含まれる顔領域の検出を行っていき、顔領域を抽出できたか否かを判断し、顔領域の抽出ができなかった場合はステップ＃１０へ移行する。顔領域を抽出できた場合は、顔領域を四角枠で囲む表示処理を行うか否かを判断し（＃７）、表示を行うように設定されている場合は、顔領域を四角枠で囲む表示処理を行う（＃８）。図５に、抽出された顔領域を四角枠２０で囲った例を示す。四角枠２０を表示するか否かは、抽出表示手段５ｃの機能に基づいて行われるものである。四角枠２０を表示させることで、顔領域として抽出されたか否かをモニター画面上で容易に識別することができる。四角枠２０の大きさは、抽出された顔領域の大きさに対応した大きさの枠で表示される。
【００４０】
顔領域の抽出が行われると、被写体数の増加処理（Ｎｉ＝Ｎｉ＋１）を行った後（＃９）、ステップ＃６に戻り、再び顔領域の抽出処理を行う。このように、同じ画像データ内で顔領域が抽出されなくなるまで同様の処理を繰り返す。顔領域が抽出されなくなると、初期プリント枚数Ｐｉと被写体数Ｎｉとを比較処理する（＃１０）。Ｎｉ≦Ｐｉであれば、初期プリント枚数Ｐｉをプリント枚数に設定する（＃１１）。
【００４１】
ステップ＃１０で、Ｎｉ＞Ｐｉであれば、被写体数Ｎｉが最大プリント枚数Ｎｍ以上であるか否か（Ｎｍ≦Ｎｉ）を判断する（＃１２）。被写体数Ｎｉが最大プリント枚数Ｎｍ以上であれば、最大プリント枚数Ｎｍがプリント枚数として設定される（＃１３）。被写体数Ｎｉが最大プリント枚数Ｎｍ未満であれば、Ｎｉをプリント枚数として設定する（＃１４）。
【００４２】
＜顔領域の再設定＞
以上のように顔モードによれば、顔領域を自動的に抽出し、被写体数がプリント枚数として自動設定される。図５に示すように、プリント枚数入力欄４３には、四角枠２０の数がプリント枚数として設定されていることが分かる。ただし、抽出された顔領域の全てが必要な顔領域として抽出されているとは限らない。例えば、抽出されるべき顔領域が抽出されていなかったり、抽出されるべき顔領域が抽出されていないこともありうる。
【００４３】
そこで、本発明においては、抽出条件を再設定して顔領域を抽出しなおすことができるようにしている。例えば、図５の左上に示す画像において、Ａで示す人物の顔領域が抽出されるべきところ、実際は抽出されていないものと仮定する。そこで、顔モードボタン４５をクリックすると、図６に示すようなモニター画面に切り替わる。この画面では、選択した１コマ分の画像と、抽出条件の再設定を行うための画面が表示される。
【００４４】
抽出条件としての顔サイズの再設定を行う方法として、２つの方法が例示されている。いずれかのラジオボタン２１をチェックすることで、再設定の方法を選択することができる。１つは、顔サイズをポイントで指定する方法であり、図示するように顔の右上のポイントＰ１と左下のポイントＰ２をマウスでクリックすることで、顔サイズを指定することができる。また、サイズ（ａ，ｂ）を数値で入力することによっても指定することができる。数値の単位は、ピクセル数や長さ（ｍｍ）で入力することができる。顔サイズの指定を行いＯＫであればＯＫボタン２２をクリックすることで、再設定された抽出条件で顔領域の抽出をしなおすことができる。
【００４５】
図７は、顔領域の再設定を行う場合の手順を示すフローチャートである。図６に示したように、顔領域の再設定を行う（＃２０）。設定が行われると、これに基づいて、再設定された顔サイズのデータを取得する（＃２１）。次に、被写体数Ｎｉの初期設定（Ｎｉ＝０）を行う（＃２２）。以下、ステップ＃２３〜２６を行うが、これは図４のステップ＃６〜９と同じである。顔領域の抽出が終了するまでステップ＃２３〜２６を繰り返した後、ステップ＃２７へ移行し、被写体数Ｎｉ＝０か否かを判断する（＃２７）。Ｎｉ＝０であれば、初期値Ｐｉ（例えば、１枚）をプリント枚数として設定する（＃２８）。Ｎｉ＝０でなければ、Ｎｉをプリント枚数に設定する（＃２９）。図８のモニター画面は、顔領域が再設定された後の抽出処理が完了した状態を示している。Ａ’で示すように、図５では抽出されなかった人物の顔領域が抽出されていることが分かる。
【００４６】
図７のフローチャートにより顔領域の再設定を行う場合、最初に設定した抽出条件で抽出された顔領域について、すべてキャンセルして抽出しなおしても良いし、最初の抽出条件で抽出された顔領域は残しておいて、再設定された抽出条件で抽出された分を追加する形で行ってもよい。図７に示すフローチャートは、ある１つのコマ画像についてのみ再設定を行う場合の手順を示しているが、他のコマ画像についても再設定が必要であれば、同じように行うことができる。また、複数のコマ画像について、同時に再設定を行うようにしてもよい。
【００４７】
＜顔領域の指定解除＞
次に、顔領域の指定を解除する手順について説明する。すなわち、抽出される必要のない顔領域が抽出されてしまった場合、これを解除するための手順を図９のフローチャートにより説明する。例えば、図５に示すモニター画面において、右下の画像のＢで示す人物は、顔領域の指定を解除すべきものであると仮定する。
【００４８】
そこで、顔領域を解除すべき人物の顔領域を指定する（＃３０）。この指定方法としては、画像中のその人物の位置をマウスでクリックすればよい。例えば、マウスで右クリックを行うことで操作可能なメニューを表示させ、その中に含まれる「指定解除」を選択することで、顔領域を解除することができる。その人物について四角枠２０が表示されている状態であれば、クリックすることでその四角枠２０の表示が消去される（＃３１，３２）。顔領域の解除が行われると、被写体数Ｎｉを減算する処理を行う（＃３３）。具体的には、Ｎｉ＝Ｎｉ−１とし、プリント枚数を１枚減らす。その結果、Ｎｉ＝０になった場合は（＃３４）、図４のステップ＃５で設定した初期プリント枚数Ｐｉをプリント枚数として設定する。Ｎｉ＝０でなければ、Ｎｉをプリント枚数として設定する（＃３６）。図８には、解除された状態がＢ’で示されている。解除したい顔領域が複数存在する場合は、同じような手順を繰り返せばよい。以上のように、焼き増し対象ではない不要な人物が抽出された場合、これを容易に解除することができ、適切なプリント枚数を設定することができる。
【００４９】
＜別実施形態＞
抽出条件として顔サイズの指定を説明しているが、これに限定されるものではなく、顔の位置や方向を抽出条件としてもよい。例えば、画面の端のほうに写っている人物は、焼き増し対象外と考えて、抽出されないようにすることができる。また、顔の向きが正面でないものについても、抽出されないように設定することができる。その外に、日本人か否かを抽出条件（肌の色に基づいて抽出）として設定可能である。
【００５０】
また、本発明による顔領域抽出手段５ｂは、特定の人物のみを抽出する機能を備えていてもよい。例えば、特定の人物に対して焼き増しプリントを提供する場合に、その特定人物が撮影されている画像を容易に検索することができる。その方法としては、例えば、次のように行うことができる。図３に示すようなプレジャッジ画面において、その特定人物が撮影されているコマ画像に含まれる当該特定人物を指定する。指定する方法は、図６で説明したような顔サイズを指定する方法と同様でよい。これにより、特定人物の特徴データ（目、鼻、口の位置、顔の輪郭等）を抽出し、この特徴データに基づいて、他の画像データ群からその特定人物が含まれている画像を抽出する。これにより、その特定人物が撮影されている画像をプリントすることができる。
【００５１】
本実施形態では、四角枠２０により顔領域を囲って表示させているが、この顔領域を識別するための方法は種々の変形例が考えられる。例えば、四角枠ではなく、丸枠等のほかの形状を用いてもよい。枠の色は、任意に設定することができるが、例えば、目立ちやすいような色（赤など）を用いることが好ましい。また、枠を点滅表示させてもよい。また、本実施形態において、四角枠２０が表示された状態での顔領域の再設定を説明したが、四角枠２０が表示されない状態であっても、顔領域の再設定は同様に行うことができる。
【００５２】
本実施形態では、コマ画像単位で抽出条件の再設定を行なっているが、複数コマ単位あるいは、１オーダーに含まれる全画像に対して、まとめて再設定を行なえるように構成してもよい。顔領域の指定解除も同様である。例えば、所定サイズ以下の顔サイズについては、まとめて解除できるように構成してもよい。
【図面の簡単な説明】
【００５３】
【図１】プリント作成装置の内部構成を示す模式図
【図２】顔サイズの指定方法を示す図
【図３】プレジャッジ画面の構成例を示す図
【図４】顔モードにより顔領域が抽出された状態を示す図
【図５】顔モードを利用した場合のプレジャッジ画面を示す図
【図６】顔領域の再設定を行うための画面構成例を示す図
【図７】顔領域の再設定を行う場合の手順を示すフローチャート
【図８】顔領域が再設定された後の抽出処理が完了した状態を示す図
【図９】顔領域の指定を解除する場合の手順を示すフローチャート
【符号の説明】
【００５４】
１        画像入力手段
３        画像処理部
３ｅ      顔モード設定手段
４        モニター
５        顔モード処理部
５ａ      抽出条件設定手段
５ｂ      顔領域抽出手段
５ｃ      抽出表示手段
５ｄ      抽出条件再設定手段
５ｅ      抽出解除手段
５ｆ      顔領域カウント手段
２０      四角枠
４３      プリント枚数入力欄
４５      顔モードボタン
【図１】
2007036603.tif 000003
【図２】
2007036603.tif 000004
【図３】
2007036603.tif 000005
【図４】
2007036603.tif 000006
【図５】
2007036603.tif 000007
【図６】
2007036603.tif 000008
【図７】
2007036603.tif 000009
【図８】
2007036603.tif 000010
【図９】
2007036603.tif 000011